(57)【要約】  【課題】施工面からの突出寸法が従来よりも小さく美麗に設置できる配線システムを提供する。  【解決手段】ケース本体１０は、一対の仕切壁１１，１１により内部空間が電力線２を収納する電力線収納部１２と信号線３を収納する信号線収納部１３と埋込型配線器具５を収納する配線器具収納部１４とに区画されている。ケース本体１０の開口面のうち化粧カバー３０で覆われていない部位はケース本体１０とともに幅木１を形成するケースカバー２０により覆われる。埋込型配線器具５が取着された器具取付金具４と、ケース本体１０の後壁１０ａに形成した器具挿通孔の周部およびパネル材に形成した器具埋込孔の周部を器具取付金具４とともに挟持するはさみ金具と、埋込型配線器具５の前面を露出させる開口窓が設けられケース本体１０の開口面の一部を覆う化粧カバー３０とを備える。【選択図】      図１
2006230059.tif 000002
【特許請求の範囲】
【請求項１】
後面がパネル材に当接し前面に全長に亘る開口面が形成され短手方向に離間した一対の仕切壁により内部空間が電力線を収納する電力線収納部と信号線を収納する信号線収納部と大角形連用配線器具である埋込型配線器具を収納する配線器具収納部とに区画されたケース本体と、埋込型配線器具の前面を露出させる窓孔が設けられ埋込型配線器具が取り付けられる器具取付金具と、ケース本体における配線器具収納部の後壁の適宜位置に形成した器具挿通孔の周部およびパネル材において器具挿通孔に対応する部位に形成した器具埋込孔の周部を器具取付金具とともに挟持するはさみ金具と、器具取付金具に取着された埋込型配線器具の前面を露出させる開口窓が設けられケース本体の開口面の一部を覆う形で配設される化粧カバーと、ケース本体の開口面のうち化粧カバーで覆われていない部位を覆い且つケース本体とともに幅木を形成するケースカバーとを備えてなることを特徴とする配線システム。
【請求項２】
前記器具取付金具は、前記埋込型配線器具の器体の両側面に形成された係止孔に挿入される保持爪が前記窓孔の内側面から突設されるとともに、対となる保持爪の一方の保持爪の側方には切欠孔が形成されており、前記一方の保持爪が係止孔内に挿入されるように前記一方の保持爪の近傍の部位を塑性変形させることが可能であることを特徴とする請求項１記載の配線システム。
【発明の詳細な説明】
【技術分野】
【０００１】
本発明は、室内において電力線や信号線を引き回すために用いられる配線システムに関するものである。
【背景技術】
【０００２】
従来から、電力線や信号線を収納する合成樹脂の配線ダクト内に、専用のコンセントや、器体がＪＩＳ規格などにより規格化されている大角形連用配線器具である埋込型配線器具の１個モジュール寸法に形成された配線器具（モジュラジャック、スイッチなど）を収納可能とした配線システムが提案されている（例えば、特許文献１）。ここで、上記特許文献１に開示された配線システムは、後面が施工面に当接し前面に全長に亘る開口面が形成された中空のケース本体と、ケース本体の開口面を覆う形で取着される埋込型配線器具と、ケース本体の開口面のうち埋込型配線器具が取着されていない部位に覆着されることによりケース本体とともに配線ダクトを形成するケースカバーとを備えている。なお、居室の廻り縁、竿縁、幅木などとして配置される合成樹脂の配線ダクトは、ＪＩＳ規格で合成樹脂線ぴとして規格化されている（ＪＩＳ  Ｃ  ８４２５）。
【０００３】
ところで、最近の住宅では、室内の家具のレイアウトに合わせてコンセントの位置を変更したいというニーズや、テレビ、電話、パーソナルコンピュータなどの機器のように電力線（電力配線ケーブル）の他に信号線（情報配線ケーブル類）を必要とする機器の電力線および信号線や、５．１Ｃｈサラウンドが楽しめる所謂ホームシアターシステムのスピーカに接続されるスピーカコードやその他のコード類を配線ダクト内に収納したいというニーズが高くなっているが、上記特許文献１に開示された配線システムの配線ダクトを幅木として配置するようにすれば、これらのニーズに対応することができる。
【特許文献１】特許第３４５６１０９号公報
【発明の開示】
【発明が解決しようとする課題】
【０００４】
しかしながら、上述のような配線システムにおいて室内での美観を高めるためには施工面からの突出寸法を小さくすることが望ましいが、上記特許文献１に開示された配線システムでは、埋込型配線器具がケース本体の後壁よりも前方に位置するものであるから、施工面からの配線ダクトおよび埋込型配線器具の突出寸法が比較的大きくなってしまう。なお、幅木を構成する配線ダクトの施工面からの突出寸法が上記特許文献１に記載の配線ダクトに比べて小さな配線システムも知られているが、当該配線システムでは、配線器具として専用の情報配線器具（ＴＶ用のコネクタ、電話用のコネクタ、ＬＡＮ用のコネクタ、光用のコネクタなど）しか取り付けることができず、しかも、情報配線器具を取り付ける部分の突出寸法が大きくなってしまう。
【０００５】
本発明は上記事由に鑑みて為されたものであり、その目的は、施工面からの突出寸法が従来よりも小さく美麗に設置できる配線システムを提供することにある。
【課題を解決するための手段】
【０００６】
請求項１の発明は、後面がパネル材に当接し前面に全長に亘る開口面が形成され短手方向に離間した一対の仕切壁により内部空間が電力線を収納する電力線収納部と信号線を収納する信号線収納部と大角形連用配線器具である埋込型配線器具を収納する配線器具収納部とに区画されたケース本体と、埋込型配線器具の前面を露出させる窓孔が設けられ埋込型配線器具が取り付けられる器具取付金具と、ケース本体における配線器具収納部の後壁の適宜位置に形成した器具挿通孔の周部およびパネル材において器具挿通孔に対応する部位に形成した器具埋込孔の周部を器具取付金具とともに挟持するはさみ金具と、器具取付金具に取着された埋込型配線器具の前面を露出させる開口窓が設けられケース本体の開口面の一部を覆う形で配設される化粧カバーと、ケース本体の開口面のうち化粧カバーで覆われていない部位を覆い且つケース本体とともに幅木を形成するケースカバーとを備えてなることを特徴とする。
【０００７】
この発明によれば、器具取付金具に取り付けられた大角形連用配線器具である埋込型配線器具の一部がパネル材に形成した器具埋込孔に埋め込まれた形で配置されることとなるので、ケース本体とケースカバーとで形成される幅木および埋込型配線器具の施工面からの突出寸法を、従来の埋込型配線器具を配線ダクト内に収納する配線システムに比べて小さくすることができるから、施工面からの突出寸法が従来よりも小さく美麗に設置でき、室内の美観を高めることができる。また、器具取付金具がパネル材に取り付けられるので、器具取付金具をケース本体のみに取り付ける場合に比べて、器具取付金具を強固に安定して取り付けることができるという利点がある。
【０００８】
請求項２の発明は、請求項１の発明において、前記器具取付金具は、前記埋込型配線器具の器体の両側面に形成された係止孔に挿入される保持爪が前記窓孔の内側面から突設されるとともに、対となる保持爪の一方の保持爪の側方には切欠孔が形成されており、前記一方の保持爪が係止孔内に挿入されるように前記一方の保持爪の近傍の部位を塑性変形させることが可能であることを特徴とする。
【０００９】
この発明によれば、前記器具取付金具へ前記埋込型配線器具を取り付ける際には、他方の保持爪を先に器体の一側面の係止孔に係合させ、マイナスドライバなどの冶具を切欠孔に挿入してこじることで、一方の保持爪が器体の他側面の係止孔に係合するように一方の保持爪の近傍の部位を塑性変形させればよいから、大角形連用配線器具用の金属製取付枠へ取り付ける際と同様の手順で取り付けることができ、施工作業が容易になる。
【発明の効果】
【００１０】
請求項１の発明では、施工面からの突出寸法が従来よりも小さく美麗に設置できるという効果がある。
【発明を実施するための最良の形態】
【００１１】
以下、本実施形態の配線システムについて図１〜図７を参照しながら説明する。
【００１２】
本実施形態の配線システムは、前面に全長に亘る開口面が形成された横長のケース本体１０と、ケース本体１０の開口面を覆う形でケース本体１０に被嵌される断面コ字状のケースカバー２０とを備え、ケース本体１０とケースカバー２０とで室内の幅木（配線ダクト）１を形成する。ここで、幅木１は、ケース本体１０の後壁１０ａの後面がパネル材８（図５（ａ）および図８（ｃ）参照）に当接する形で配設される。ケース本体１０およびケースカバー２０は、それぞれ合成樹脂成形品により構成されており、施工時にケース本体１０の適宜位置に器具挿通孔１５（図２（ｂ）参照）を形成したりケース本体１０およびケースカバー２０それぞれを長手方向の所望の位置で切断したりすることができる。なお、ケース本体１０は、例えば、木ねじのような取付ねじ１８（図５（ａ）参照）を用いてパネル材８に固着することができる。
【００１３】
ケース本体１０は、上壁１０ｂの後端部上面に引掛凹部１０ｄが形成され、下壁１０ｃの前後方向の中間に前端部が後端部よりも上方に位置するように段差部１０ｅが形成されており、下壁１０ｃの前端部下面に引掛リブ１０ｆが突設されている。一方、ケースカバー２０は、上壁２２の下面に、引掛凹部１０ｄと係合する引掛突起２２ａが突設され、下壁２３の上面に、ケース本体１０の引掛リブ１０ｆに係合する引掛突起２３ａが突設されている。したがって、ケースカバー２０の上壁２２の引掛突起２２ａを引掛凹部１０ｄに係合させるとともに下壁２３の引掛突起２３ａを引掛リブ１０ｆに係合させることにより、ケース本体１０とケースカバー２０とが結合される。ここで、ケースカバー２０の上壁２２および下壁２３は厚み方向（図１（ａ）における上下方向）に可撓性を有しており、ケース本体１０の上壁１０ｂおよび下壁１０ｃそれぞれの前端部には前端面側ほど上壁１０ｂの上面と下壁１０ｃの下面との距離を小さくするように傾斜した傾斜面１０ｇ，１０ｈが形成されているので、ケースカバー２０をケース本体１０に近づけるように力を作用させるだけでケースカバー２０をケース本体１０へ簡単に結合することができる。なお、ケースカバー２０の前面２０ａおよび上面２０ｂには木目調のフィルムが転写されており、室内の美観を高めることができる。
【００１４】
ケース本体１０の内部空間は、ケース本体１０の短手方向（図１（ａ）の上下方向）に離間した一対の仕切壁１１，１１により、電力線（電力配線ケーブル）２を収納する電力線収納部１２と、信号線（情報配線ケーブル類）３を収納する信号線収納部１３と、ＪＩＳ規格などにより規格化されている大角形連用配線器具（ＪＩＳ  Ｃ  ８３７５参照）である埋込型配線器具５を収納する配線器具収納部１４とに区画されている。ここにおいて、ケース本体１０は、電力線収納部１２が上記短手方向の一側（図１（ａ）の下側）に形成され、信号線収納部１３が上記短手方向の他側（図１（ａ）の上側）に形成されているので、電力線収納部１２に電力線２を収納する一方で信号線収納部１３に信号線３を収納することにより、電力線２と信号線３との混触を防止することができ、電力配線と情報配線との混触を防止するという内線規程の要求を満足することができる。
【００１５】
なお、幅木１の前後方向の寸法は、１２ｍｍに設定してあり、電力線収納部１２には電力線２として、例えば、ＶＶＦ３芯ケーブルなどが収納可能であり、信号線収納部１３には信号線３としては、例えば、カテゴリ５Ｅ（ＣＡＴ５Ｅ）対応のケーブルで直径が５．４ｍｍのもの、屋内用通信ケーブル（ＴＩＥＶ）で直径が３．８ｍｍのもの、同軸ケーブル（例えば、Ｓ−５Ｃ−ＦＢ）で直径が７．７ｍｍのものなどが収納可能であるが、これらの電力線２および信号線３は特に限定するものではない。また、配線器具収納部１４には、埋込型配線器具５以外に、コード７を収納することがもできる。なお、配線器具収納部１４に収納するコード７としては、例えば、テーブルタップ９１（図７（ｄ）参照）のコード、ＴＶ延長コード、ＬＡＮ延長コード、電話延長コード、スピーカコードなどのコード類がある。
【００１６】
埋込型配線器具５は、図２に示す器具取付金具４に取り付けられ、器体５０の一部がケース本体１０の後壁１０ａに形成した器具挿通孔１５を通してパネル材８に形成した器具埋込孔８１（図２（ｂ）参照）に埋め込まれた形で配置される。
【００１７】
埋込型配線器具５としては、例えば、電力線３に接続される図３（ａ）に示すような２極のコンセント、電力線３に接続される図３（ｂ）に示すような接地極付きのコンセント、信号線３に接続される図３（ｃ）に示すような電話用モジュラジャック、信号線３に接続される図３（ｄ）に示すようなＬＡＮ用モジュラジャック、信号線３に接続される図３（ｅ）に示すようなＴＶコンセント、図３（ｆ）に示すようにボディとカバーとから構成される器体５０におけるカバーとして通線用の通線孔５４が設けられた通線チップを用いたものなどがある。
【００１８】
埋込型配線器具５の器体５０の寸法は、大角形連用配線器具用の取付枠（ＪＩＳ  Ｃ８３７５）と称する１連用の取付枠（金属製取付枠、合成樹脂製取付枠）に３個まで取着可能な単位寸法（１個モジュール寸法）に形成されており（つまり、器体５０の短手方向の寸法は上記取付枠の取付窓の長手方向の寸法の略３分の１の寸法に形成されている）、器体５０の両側面には、金属製取付枠に取り付けるための係止孔（図示せず）および合成樹脂製取付枠に取り付けるための取付爪５２が設けられている。
【００１９】
器具取付金具４は、一対の固定片４３，４３の一側縁から前方へ延設された連絡片４２，４２の前端部同士を外周形状が横長の矩形状の器具取付片４１で連続一体に連結することによって形成されており、器具取付片４１には埋込型配線器具５の器体５０の前面を露出させる２つの長方形状の窓孔４４が左右方向に離間して形成されている。なお、各固定片４３，４３の上下方向の寸法Ｗ２は、器具取付片４１の上下方向の寸法よりも大きく且つケース本体１０の一対の仕切壁１１，１１間の間隔（図１（ａ）に示す配線器具収納部１４の幅寸法Ｗ１）よりもやや短い寸法に設定されている。
【００２０】
器具取付金具４は、器具取付片４１の窓孔４４の短手方向（図２（ａ）の上下方向）に沿った両内側面に、埋込型配線器具５の器体５０の両側面に形成された係止孔に挿入される保持爪４５ａ，４５ｂが突設されるとともに、対となる保持爪４５ａ，４５ｂの一方の保持爪４５ｂの側方に、切欠孔４６が形成されており（一方の保持爪４５ｂが突設された部位は当該部位と切欠孔４６との間に形成された細幅の支持片４７，４７により上下両側から支持されている）、一方の保持爪４５ｂが係止孔内に挿入されるように一方の保持爪４５ｂの近傍の部位を塑性変形させることが可能となっている。すなわち、器具取付金具４へ埋込型配線器具５を取り付ける際には、他方の保持爪４５ａを先に器体５０の一側面の係止孔に係合させ、マイナスドライバなどの冶具を切欠孔４６に挿入してこじることで、一方の保持爪４５ｂが器体５０の他側面の係止孔に係合するように一方の保持爪４５ｂの近傍の部位を塑性変形させればよいから、大角形連用配線器具用の金属製取付枠へ取り付ける際と同様の手順で取り付けることができ、施工作業が容易になる。
【００２１】
ところで、器具取付金具４の各固定片４３には、ケース本体１０の後壁１０ａに形成した器具挿通孔１５の周部およびパネル材８に形成した器具埋込孔８１の周部を固定片４３とともに挟持するはさみ金具６の一端部の引掛爪６２，６２を引っ掛ける切欠部４３ａ，４３ａと、はさみ金具６に螺合する引締ねじ６１を挿通するための長孔４３ｂが形成されている。はさみ金具６は、一端部の引掛爪６２，６２を切欠部４３ａ，４３ａに引っ掛けることにより器具取付金具４の固定片４３に対して枢支され、長孔４３ｂを通してはさみ金具６に螺合する引締ねじ６１を進退させることによって他端部と固定片４３との距離を変化させることができるものである。はさみ金具６はＬ字状に形成されており、上記一端部の引掛爪６２，６２を固定片４３の切欠部４３ａ，４３ａに引っ掛けたときに、上記他端部が器具取付金具４の固定片４３に対向する。したがって、ケース本体１０の後壁１０ａの適宜位置に器具挿通孔１５を形成するとともにパネル材８において器具挿通孔１５に対応する部位に器具埋込孔８１を形成しておき、引締ねじ６１を緩めた状態で、はさみ金具６を器具埋込孔８１に挿入し、その後、引締ねじ６１を締め付けるようにすれば、器具取付金具４の固定片４３とはさみ金具６との間で器具挿通孔１５の周部および器具埋込孔８１の周部を挟持して器具取付金具４をパネル材８に固定することができる。要するに、器具取付金具４はパネル材８に対してはさみ金具６を用いて取り付けることができるように構成してある。なお、はさみ金具６の上記他端部の先端にはパネル材８に食い込む固定爪６３が形成されている。
【００２２】
上述のように、本実施形態の配線システムでは、埋込型配線器具５を取着した器具取付金具４がパネル材８に取り付けられるので、器具取付金具４をケース本体１０のみに取り付ける場合に比べて、器具取付金具４を強固に安定して取り付けることができるという利点がある。なお、上述のはさみ金具６を用いることにより、器具取付金具４を取り付けるパネル材８の厚み寸法としては、５〜１５ｍｍ程度の範囲の厚み寸法に対応することが可能となる。
【００２３】
器具取付金具４の前面側には、ケース本体１０の開口面のうちケースカバー２０により覆われていない部位および当該部位近傍でケースカバー２０を覆う化粧カバー３０が配設される。要するに、ケースカバー２０と化粧カバー３０とは一部同士が重複している。化粧カバー３０は、ケース本体１０の開口面を覆い且つ埋込型配線器具５の器体５０の前面を露出させる開口窓３３，３３が設けられた前壁３１の上縁から後方に向かって延設された上壁３２を備えており、図１（ｂ）および図５（ｅ）に示すように、化粧カバー３０を配設したときに、化粧カバー３０の左右両端部がケースカバー２０の前壁２１および上壁２２に重なるように上下方向の寸法および前後方向の寸法を設定してある。なお、化粧カバー３０の前壁３１の後面には器具取付金具４の切欠部４３ａに係止される係止突起が４本突設されており、化粧カバー３０が器具取付金具４に着脱自在に取り付けられるが、化粧カバー３０は器具取付金具４ではなくケース本体１０に対して着脱自在に取り付けられるようにしてもよい。また、化粧カバー３０の前壁３１の前面および上壁３２の上面には、木目調のフィルムが転写されており、室内の美観を高めることができる。また、図２に示した器具取付金具４は、１個モジュール寸法の埋込型配線器具５を最大２個まで取り付けることができるものであるが、器具取付金具４に設ける窓孔４４の数は２つに限定するものではなく、１つでも３つ以上でもよく、化粧カバー３０についても、開口窓３３の数は２つに限定するものではない。また、本実施形態では、器具取付金具４と化粧カバー３０とで器具取付装置を構成している。
【００２４】
上述の配線システムの施工にあたっては、まず、図５（ａ）に示すように、電力線や信号線などの配線９（同図では電力線を示してある）を天井側から立ち下げた後でパネル材８を間柱９１に取り付けてから、パネル材８の下端部前面にケース本体１０を取付ねじ１８を用いて取り付ける。その後、図５（ｂ）に示すように、ケース本体１０の後壁１０ａの適宜位置に配線９をケース本体１０内へ引込むための配線引込孔１７および上述の器具挿通孔１５および器具挿通孔１５に連続した配線孔１６を形成するとともに、パネル材８においてケース本体１０の配線引込孔１７、器具挿通孔１５、配線孔１６それぞれに対応する部位に、配線導入穴８２、器具埋込孔８１、配線穴８４を形成し、配線９を配線導入穴８２および配線引込孔１７を通してケース本体１０内へ引き込む。なお、器具挿通孔１５および器具埋込孔８１の開口幅Ｈ１は、器具取付金具４の左右方向の寸法Ｈ２（図５（ｄ）参照）よりも短くする。また、配線導入穴８２および配線引込孔１７を別途に設けずに、配線穴８４および配線孔１６を通して配線９を引き込むようにしてもよい。
【００２５】
続いて、器具取付金具４に取着された埋込型配線器具５に配線９を結線する結線作業を行ってから、図５（ｃ）に示すように、配線９をケース本体１０内に収納し（配線９の一部は、配線孔１６および配線穴８４を通して壁内へ埋め込む）、器具取付金具４の固定片４３とはさみ金具６との間で器具挿通孔１５の周部および器具埋込孔８１の周部を挟持することで、器具取付金具４をパネル材８へ取り付ける。
【００２６】
その後、図５（ｄ）に示すように、ケースカバー２０をケース本体１０側の器具取付金具４の位置に応じて所定長さＨ３だけ切除する（ケースカバー２０の長手方向の２箇所で切断する）。なお、化粧カバー３０の左右方向の寸法をＨ４（図５（ｅ）参照）とすれば、所定長さＨ３は、Ｈ２＜Ｈ３＜Ｈ４の関係を満足するように決めればよい。
【００２７】
次に、図５（ｅ）に示すように、ケース本体１０にケースカバー２０を取り付け、さらに化粧カバー３０を器具取付金具４に取り付けることにより、化粧カバー３０の前壁３１の開口窓３３を通して埋込型配線器具５の器体５０の前端部を化粧カバー３０の前方に突出させることができるとともに、ケースカバー２０の切断面が室内側から見えないようにすることができる。なお、化粧カバー３０は器具取付金具４に対して係止突起によって係合しているだけであるから、器具取付金具４から化粧カバー３０を引き離すように力を作用させれば、化粧カバー３０を器具取付金具４から取り外すことができる。また、実際に幅木１を施工するにあたっては、幅木１の末端部に必要に応じてエンドキャップ（図示せず）を装着する。
【００２８】
以上説明した本実施形態の配線システムでは、器具取付金具４に取り付けられた埋込型配線器具５の一部がパネル材８に形成した器具埋込孔８１に埋め込まれた形で配置されることとなるので、ケース本体１０とケースカバー２０とで形成される幅木１および埋込型配線器具５の施工面からの突出寸法を、従来の埋込型配線器具を配線ダクト内に収納する配線システムに比べて小さくすることができるから、施工面からの突出寸法が従来よりも小さく美麗に設置でき、室内の美観を高めることができる。
【００２９】
また、上述の幅木１は、電力線２や信号線３やコード７などを収納するとともに埋込型配線器具５を収納する収納機能を有しているので、図６に示すように、埋込型配線器具５の器体５０の前面を露出させる開口窓３３が形成された化粧カバー３０とは別に、通線部３６を設けた化粧カバー（入線カバー）３５を適宜利用すれば、入居者が埋込型配線器具５であるコンセントに差込まれたプラグと電器機器との間のコード７を床の上に転がさずに幅木１内に収納することが可能となる。なお、化粧カバー３５は、化粧カバー３０と同様、器具取付金具４（あるいはケース本体１０）へ着脱自在に取り付けられる。
【００３０】
したがって、従来の配線収納機能を備えていない幅木１００が施工された室内において図７（ａ）や同図（ｂ）に示すように床上に転がっているコード７や幅木１００よりも上側で壁面に埋込配置されている埋込型配線器具５を幅木１内に収納することができるので、同図（ｃ）や同図（ｄ）に示すように室内の美観および安全性を高めることが可能となる。なお、図７（ａ），（ｃ）は、所謂ホームシアターシステムが配置された室内の一例であって、ホームシアターシステムを構成する薄型テレビ７０、ＤＶＤプレーヤ７２、ＤＶＤレコーダ７３、スピーカ７１などが適宜配置されている。また、図７（ｂ），（ｄ）は、パーソナルコンピュータ１８０およびその周辺機器（スキャナ１８１、プリンタ１８２、デジタルビデオカメラ１８３など）と、これらの電源コードが接続されたテーブルタップ９１などが配置された室内の一例を示したものである。
【００３１】
ところで、上述の図７（ａ），（ｂ）に示すように配線収納機能を備えていない幅木１００を採用する場合、壁面に埋込型配線器具５を配置するためには、まず、図９（ａ）に示すように天井側から配線９を立ち下げてから、同図（ｂ）に示すようにパネル材８を間柱９１に貼り付け、その後、同図（ｃ）に示すようにパネル材８に器具取付穴８３を穿孔してから、配線９を埋込型配線器具５に結線する必要があるが、施工途中で埋込型配線器具５の配置位置に変更が生じた場合には、同図（ｄ）に示すように既に器具取付穴８３を穿孔してしまったパネル材８を剥いで配線９の立ち下げ位置を変更し、その後、同図（ｅ）に示すようにパネル材８を再度貼り直してから、器具取付穴８３を所望位置に穿孔しなおす必要がある。すなわち、配線収納機能を備えていない幅木１００を採用する場合には、施工途中での埋込型配線器具５の配置位置の変更に電気工事のみでは対応できず、また、幅木１００は内装工事として別途施工が必要になる。
【００３２】
これに対して、上述の配線収納機能を備えた幅木１を採用する場合、埋込型配線器具５の一部を埋込配置するためには、まず、図８（ａ）に示すように天井側から配線９を立ち下げてから、同図（ｂ）に示すようにパネル材８を間柱９１に貼り付け、その後、同図（ｃ）に示すようにケース本体１０をパネル材８に取り付けてから、同図（ｄ）に示すようにケース本体１０に器具挿通孔１５を穿孔するとともにパネル材８に器具埋込孔８１を穿孔して配線９をケース本体１０内へ引き込めばよいが、施工途中で埋込型配線器具５の配置位置に変更が生じた場合には、同図（ｅ）に示すように所望位置に器具挿通孔１５および器具埋込孔８１を形成してケース本体１内に配線９を収納すればよい。すなわち、上述の配線収納機能を備えた幅木１を採用する場合には、施工途中での埋込型配線器具５の配置位置の変更に電気工事のみで対応することができるから、埋込型配線器具５の配置位置を所望位置に変更する変更作業が容易に行える。
【００３３】
また、上述の配線システムでは、入居前に例えば図１０（ａ）に示すような位置に化粧カバー３０，３５が配置されていた場合でも、例えば、電気工事、電話工事などにより図１０（ｂ）に示すようにコンセントやモジュラジャックなどの埋込型配線器具５を追加することが可能であり、また、ケースカバー２０と化粧カバー３０，３５とは容易に組み合わせを変更可能なので、図１０（ｃ）に示すように化粧カバー３５の配置位置を変更することも容易であり、入居者が電話延長コード、ＬＡＮ延長コード、テーブルタップ９１の延長コードなどのコード７を化粧カバー３５の通線部３６を通して幅木１内に収納させることができる。
【図面の簡単な説明】
【００３４】
【図１】実施形態を示し、（ａ）は化粧カバーが配設されていない部位の概略断面図、（ｂ）は化粧カバーが配設されている部位の概略断面図である。
【図２】同上における器具取付金具を示し、（ａ）は正面図、（ｂ）は下面図である。
【図３】（ａ）〜（ｆ）は器具取付金具に取付可能な埋込型配線器具の概略正面図である。
【図４】（ａ）は化粧カバーの正面図、（ｂ）は化粧カバーを配設する前の要部正面図である。
【図５】同上の配線システムの施工手順の説明図である。
【図６】同上の配線システムの使用形態における概略斜視図である。
【図７】同上の配線システムと比較例との対比説明図である。
【図８】同上の配線システムの施工方法の説明図である。
【図９】同上の比較例の施工方法の説明図である。
【図１０】同上の配線システムの配置例の説明図である。
【符号の説明】
【００３５】
１  幅木
２  電力線
３  信号線
４  器具取付金具
５  埋込型配線器具
１０  ケース本体
１０ａ  後壁
１１  仕切壁
１２  電力線収納部
１３  信号線収納部
１４  配線器具収納部
２０  ケースカバー
３０  化粧カバー
【図１】
2006230059.tif 000003
【図２】
2006230059.tif 000004
【図３】
2006230059.tif 000005
【図４】
2006230059.tif 000006
【図５】
2006230059.tif 000007
【図６】
2006230059.tif 000008
【図７】
2006230059.tif 000009
【図８】
2006230059.tif 000010
【図９】
2006230059.tif 000011
【図１０】
2006230059.tif 000012